(57)【要約】【課題】各ソケットの外側の光ケーブルの束の管理を改善するための光分配フレーム用のラックが提案される。【解決手段】本発明は、光分配フレームのためのラック（１）であって、該ラックの前面（１Ａ）に接続部を備えるソケットのための複数の水平サポート、および各ソケットの外側の光ケーブルの束の管理のための手段を含んでおり、前記管理のための手段が、該ラックの少なくとも１つの側壁（１Ｂ）に配置され、該ラックの高さに分布しており、外側に向かって開いた少なくとも１つのケーブル受け入れ要素（Ｃ）を備えている前記ケーブルの複数の案内システム（２Ａ〜２Ｅ）によって構成されているラック（１）に関する。本発明によれば、前記受け入れ要素が、Ｕ字の形状であって、Ｕ字の根元が前記側壁（１Ｂ）へと固定されており、関節運動する閉鎖レバー（Ｌ）を備えている。【選択図】図１
2009015322.tif 000002
【特許請求の範囲】
【請求項１】
光分配フレームのためのラック（１）であって、該ラックの前面（１Ａ）に接続部を備えるソケットのための複数の水平サポート、および各ソケットの外側の光ケーブルの束の管理のための手段を含んでおり、前記管理のための手段が、該ラックの少なくとも１つの側壁（１Ｂ）に配置され、該ラックの高さに分布しており、外側に向かって開いた少なくとも１つのケーブル受け入れ要素（Ｃ）を備えている前記ケーブルの複数の案内システム（２Ａ〜２Ｅ）によって構成されているラック（１）であり、前記受け入れ要素が、Ｕ字の形状であって、Ｕ字の根元が前記側壁（１Ｂ）へと固定されており、関節運動する閉鎖レバー（Ｌ）を備えているラック（１）。
【請求項２】
それぞれの案内システムが、整列した一連なりのＵ字形の複数の前記要素（Ｃ１〜Ｃ５）と、１つの共通の前記閉鎖レバー（Ｌ）とを備えている、請求項１に記載のラック。
【請求項３】
前記連なりが、水平面に対して傾けられて配置されている、請求項１および２に記載のラック。
【請求項４】
ケーブルの軽い張力を保証するために、前記側壁（１Ｂ）に配置された少なくとも１つの安全張力システム（３）を備えている、請求項１から３のいずれかに記載のラック。
【請求項５】
前記安全張力システム（３）が、ばね（３Ｂ）によって付勢された平行移動可能な案内要素（３Ａ）を備えている、請求項１から４のいずれかに記載のラック。
【請求項６】
前記安全張力システム（３）が、前記側壁（１Ｂ）上で該安全張力システム（３）の近くに位置している追加の案内要素（４）に組み合わせられている、請求項４または５に記載のラック。
【請求項７】
前記前面（１Ａ）に位置する追加の案内要素（５）を備えている、請求項１から６のいずれかに記載のラック。
【発明の詳細な説明】
【技術分野】
【０００１】
本発明は、光分配フレームに関し、さらに詳しくは、多数の光ファイバ・リンクを備える電気通信設備において、それらファイバ・リンク間で選択的に行われる相互接続を可能にするように意図された光分配フレームに関する。
【背景技術】
【０００２】
そのようなフレームは、特許文献１に記載されているように、通常は、１つ以上の整列した分配ラックを備えており、それぞれの分配ラックが、水平サポートによって支持された一式のソケットまたは交差接続箱を含んでいる。
【０００３】
それらのソケットは、分配フレームを終端とする分配のファイバを選択的に相互接続するためのものであり、この相互接続は、両端にソケットの接続部材に適合するプラグが装着されているジャンパによって行われる。１対のラックを、一方のラックのソケットを他方のラックのソケットへと接続するジャンパを走らせるための交差接続領域によって、お互いから分離させることができ、ラックは、通常は専用であり、例えば一方が外へと出て行くリンクのためのものであり、他方が入ってくるリンクのためのものである。当然ながら、３つ以上のラックが存在する場合には、ジャンパを、２つのラックの間の１つの交差接続領域を横切って走らせることが可能であり、必要であれば、２つのラックの間にそれぞれ位置する分配領域に走らせることが可能である。また、ただ１つのラックを備える分配フレームにおいては、ジャンパを垂直に走らせるための交差接続領域をラックの片側または両側に設けることが可能であることを、理解すべきである。
【０００４】
それぞれのソケットの外部でケーブルを管理するために、特許文献２は、２つ以上のラックを相互接続するためのケーブルの束が取り付けられる柔軟なリンクを備えるアームを提案している。このアームは、もっぱら用意されたソケットの付近において束を支持している。
【０００５】
この従来技術の構成は、いくつかの技術的な問題を引き起こしている。
【０００６】
これは光ファイバによって構成されたケーブルに真に適合させたものではない。このようなアームにおけるケーブルの曲げ半径は、この解決策を、光ケーブル内のファイバの破損がないように保証するために最低限の曲げ半径を必要とする光ファイバへと適用することを、困難にしている。
【０００７】
このアームの構成は、案内できる光ファイバの数が限定的である場合に使用することができる。
【０００８】
これはケーブルの束を、もっぱら設置されたソケットの付近において支持しており、アームの外部においては、束が案内されておらず、管理されていない。
【０００９】
特許文献３が、光分配フレームのためのラックであって、ラックの前面に接続部を備えるソケットのための複数の水平サポートと、ラックの少なくとも１つの側壁に配置された各ソケットの外部の半径制限器とを含んでいるラックを開示している。
【特許文献１】仏国特許出願第２８３２２２５号明細書
【特許文献２】米国特許第６３２７１３９号明細書
【特許文献３】国際公開第０２／０５００２号パンフレット
【発明の開示】
【発明が解決しようとする課題】
【００１０】
本発明の目的は、１つのソケットへと接続された光ケーブルの束へと同じフレーム内の他のソケットを乱すことなくアクセスするため、２つの異なるソケットの間で光ケーブルの束を案内および保持することによって、各ソケットの外部の光ケーブルの束の管理を改善することにある。
【課題を解決するための手段】
【００１１】
本発明は、上記の技術的課題を解決するものであり、そのようにするために、光分配フレームのためのラックであって、該ラックの前面に接続部を備えるソケットのための複数の水平サポート、および各ソケットの外側の光ケーブルの束の管理のための手段を含んでおり、前記管理のための手段が、該ラックの少なくとも１つの側壁に配置され、該ラックの高さに分布しており、外側に向かって開いた少なくとも１つのケーブル受け入れ要素を備えている前記ケーブルの複数の案内システムによって構成されているラックであり、前記受け入れ要素が、Ｕ字の形状であって、Ｕ字の根元が前記側壁へと固定されており、関節運動する閉鎖レバーを備えていることを特徴とするラックを提供する。
【００１２】
本発明の一つの好ましい特徴によれば、それぞれの案内システムが、整列した一連なりのＵ字形の複数の前記要素と、１つの共通の前記レバーとを備えている。
【００１３】
好ましくは、ラックが、複数の前記案内システムを、ラックの全高の大部分にわたり分布させて備えている。
【００１４】
好ましくは、前記連なりが、水平面に対して傾けられて配置されている。
【００１５】
本発明によるラックは、好ましくは、ケーブルの軽い張力を保証するために、前記側壁に配置された少なくとも１つの安全張力システムを備えている。
【００１６】
この安全張力システムによって、ケーブルの過剰な張力が防止され、ケーブルが、よく整理されて案内および保持される。
【００１７】
前記安全張力システムは、ばねによって付勢された平行移動可能な案内要素を備えることができる。
【００１８】
前記安全張力システムを、前記側壁上で安全張力システムの近くに位置している追加の案内要素に組み合わせることができる。
【００１９】
本発明によるラックは、好ましくは、前記前面に位置する追加の案内要素を備えている。
【００２０】
本発明とその特徴および利点が、後述の図面を参照しつつ以下の説明において説明される。
【発明を実施するための最良の形態】
【００２１】
図面に示されているように、光分配フレームのためのラック１は、ラックの前面１Ａに接続部を備えるソケット（ここでは、未だラックへと備えられていないため、図示されていない）のための複数の水平サポートと、各ソケットの外側の光ケーブルまたは継ぎコードの束の管理のための手段とを含んでいる。
【００２２】
それら管理のための手段は、ラックの少なくとも１つの側壁１Ｂに配置されたケーブルの少なくとも１つの案内システム２Ａ〜２Ｅによって構成されている。
【００２３】
実際に、ここでは、例えば、ラックが、この側壁において、ラックの高さの大部分にわたり分布した５つの案内システムを備えている。
【００２４】
それぞれの案内システム２Ａ〜２Ｅは、外側に向かって開いた少なくとも１つのケーブル受け入れ要素を備えている。この受け入れ要素Ｃ１〜Ｃ５は、Ｕ字の形状であって、Ｕ字の根元が側壁１Ｂに固定されており、関節運動する閉鎖レバーＬを備えている。
【００２５】
実際に、ここでは、例えば、それぞれの案内システム２Ａ〜２Ｅが、整列した一連なりのＵ字形の５つの要素Ｃ１〜Ｃ５と、１つの共通の関節運動レバーＬとを備えており、それぞれの連なりが、側壁の後方において高くなるように、水平面に対して傾けられて配置されている。
【００２６】
このレバーは、２Ａで指し示されている案内システムにおいては、開放位置にあり、他の案内システム２Ｂおよび２Ｃにおいては、閉鎖位置にある。
【００２７】
これらの案内システムによって、他の関連のラックから到来し、あるいはラック１を備えるソケットから到来するそれぞれのケーブルＯ、またはそれぞれのケーブルの束を、いくつかの受け入れ要素Ｃに導入し、それぞれの対応するレバーＬを閉じることによって、ラックの全高にわたって所定の位置に固定することができる。
【００２８】
さらに、本発明によるラックは、ケーブルの軽い張力を保証するために、少なくとも１つの張力システム３を側壁１Ｂに配置して備えている。
【００２９】
この張力システムは、ばね３Ｂによって付勢された平行移動可能な案内要素３Ａを備えている。この案内要素３Ａの案内部は、円柱３Ｃの半分の形状であって、水平軸に沿って移動可能であり、ばね３Ｂによって図面の眺めの右側に向かって付勢されている。
【００３０】
この張力システム３が、側壁１Ｂ上で張力システム３の近くに位置している追加の案内要素４に組み合わせられている。この追加の案内要素４の案内部も、やはり円柱の半分の形状であるが、その接触面は、張力システム３の安全な張力の機能を保証するために、ケーブルまたはケーブルの束が、これら両方の案内要素３および４の案内部３Ｃおよび４Ｃに追従するＳ字を形成するように配置されている。
【００３１】
好ましくは、この張力システム３は、ラックの側壁１Ｂの上部に位置している。
【００３２】
本発明によるラックは、好ましくは、前面１Ａの下部に位置し、ケーブルまたはケーブルの束がΩの形に向きを変えるように保証する追加の案内要素５を備えている。
【００３３】
本発明によれば、光ケーブルまたは光ケーブルの束を、容易に管理することができる。
【００３４】
例えば、ラックの１つのソケットの前面から到来するケーブルが、側方において向きを変え、直近の案内システム２に導入される。ケーブルは、側壁１Ｂの全高に位置している他の案内システム２へと挿入されることで、ラックの底部に向かって案内され、次いで前部の案内システム５によって分配され、
他方の側壁に沿って、この他方の側壁１Ｃに配置された同様の案内システムによって案内された後に、１つの他のラックに向かって案内され、あるいは
ラックのソケットの１つの他の部分に向かって案内される。
【図面の簡単な説明】
【００３５】
【図１】本発明によるラックの斜視図である。
【図２】本発明によるラックの一部分の斜視図である。
【図３】本発明によるラックの一部分の斜視図である。
【図４】本発明によるラックの一部分の斜視図である。
【図１】
2009015322.tif 000003
【図２】
2009015322.tif 000004
【図３】
2009015322.tif 000005
【図４】
2009015322.tif 000006
【外国語明細書】
2009015322.tif 000007
2009015322.tif 000008
2009015322.tif 000009
2009015322.tif 000010
2009015322.tif 000011
Claims
2009015322.tif 000012
1. Abstract
2009015322.tif 000013
2. Representative drawing
Fig. 1
【図１】
2009015322.tif 000014
【図２】
2009015322.tif 000015
【図３】
2009015322.tif 000016
【図４】
2009015322.tif 000017